(57)【要約】【課題】スタンドにおいて、立てて後方側に傾けた状態で保持された紙片が、前方側に倒れてしまうのを防止する紙片押さえボードを提供すること。【解決手段】紙片押さえボード１は、紙片２００を立てて後方側に傾けた状態で保持するスタンド１００に用いられ、透明な素材で形成され、スタンド１００に保持された紙片２００の前方側において、紙片２００に凭れた状態で配置され、紙片２００の上部と当接する当接部１０を備える。【選択図】図１
0003198921.tif 000002
【実用新案登録請求の範囲】
【請求項１】
紙片を立てて後方側に傾けた状態で保持するスタンドに用いられる紙片押さえボードであって、
透明な素材で形成され、
前記スタンドに保持された前記紙片の前方側において、前記紙片に凭れた状態で配置され、
前記紙片の上部と当接する当接部を備える紙片押さえボード。
【請求項２】
前記当接部は、
前記紙片の上部の左端部に当接する左当接部と、
前記紙片の上部の右端部に当接する右当接部と、を有し、
前記左当接部と前記右当接部とに間に形成され、前記紙片の上部が前方側に現れるように欠き込まれた欠き込み部を、更に備える請求項１に記載の紙片押さえボード。
【考案の詳細な説明】
【技術分野】
【０００１】
本考案は、紙片押さえボードに関し、特に、紙片を立てて後方側に傾けた状態で保持するスタンドに用いられる紙片押さえボードに用いられる紙片押さえボードに関する。
【背景技術】
【０００２】
従来、例えば、店舗等の店頭において、チラシ、パンフレット、チケット等の紙片を、スタンドにより、複数枚重ねられて立てられ後方側に傾けた状態で展示する場合がある。
このような場合、例えば、店舗に訪れた客は、スタンドに保持された紙片に記載された内容を見て興味がある場合には、スタンドからこの紙片を１枚抜き出す。
【０００３】
このようなスタンドとして、矩形状を呈する基板部と、当該基板部の後端縁に谷折り線を介して連なる背面側突き当て板部と、当該基板部の前端縁に谷折り線を介して連なる支持用弾力板部とを、備え、当該支持用弾力板部の中央部分には、展示品の下端が差し込まれ、かつ、その上縁部分で当該展示品を背もたれ的に支持するための開口部を開設するように構成したスタンドが提案されている（特許文献１参照）。
この特許文献１のスタンドによれば、紙片を複数枚重ねて立てて後方側に傾けた状態で保持できる。
【先行技術文献】
【特許文献】
【０００４】
【特許文献１】特開２００９−５８２３号公報
【考案の概要】
【考案が解決しようとする課題】
【０００５】
ところで、特許文献１に示されたようなスタンドを用いて紙片を展示するのは、紙片を立てることで、紙片の表面に表示された内容を見やすくするためである。
ところが、例えば、風等により、後方側に傾けた状態でスタンドに展示していた紙片が前方側に倒れ、紙片の表面（前方側の面）に表示された内容が見えなくなってしまう場合がある。また、チラシ等の紙片は、紙の性質状、紙が折れて前に倒れてきてしまう場合がある。
【０００６】
本考案は、スタンドにおいて、立てて後方側に傾けた状態で保持された紙片が、前方側に倒れてしまうのを防止する紙片押さえボードを提供することを目的とする。
【課題を解決するための手段】
【０００７】
（１）  紙片を立てて後方側に傾けた状態で保持するスタンドに用いられる紙片押さえボードであって、
透明な素材で形成され、
前記スタンドに保持された前記紙片の前方側において、前記紙片に凭れた状態で配置され、
前記紙片の上部と当接する当接部を備える紙片押さえボード。
【０００８】
（１）の構成によれば、紙片押さえボードは、紙片を立てて後方側に傾けた状態で保持するスタンドに用いられる。
また、紙片押さえボードは、透明な素材で形成され、スタンドに保持された紙片の前方側において、紙片に凭れた状態で配置され、当接部を備える。
当接部は、紙片の上部と当接する。
【０００９】
これにより、紙片押さえボードを、スタンドにおいて、立てて後方側に傾けた状態で保持されている紙片の前方に、この紙片に凭れた状態で配置することで、当接部は、紙片の上部と当接するので、紙片が、例えば、風等により前方側に倒れることを防止できる。
したがって、スタンドにおいて、立てて後方側に傾けた状態で保持された紙片が、前方側に倒れてしまうのを防止する紙片押さえボードを提供できる。
【００１０】
また、紙片押さえボードを透明な素材で形成したので、紙片押さえボードを、スタンドにおいて、立てて後方側に傾けた状態で保持されている紙片の前方に、この紙片に凭れた状態で配置しても、紙片に表示された内容を視認可能とすることができる。
【００１１】
（２）  前記当接部は、
前記紙片の上部の左端部に当接する左当接部と、
前記紙片の上部の右端部に当接する右当接部と、を有し、
前記左当接部と前記右当接部とに間に形成され、前記紙片の上部が前方側に現れるように欠き込まれた欠き込み部を、更に備える（１）に記載の紙片押さえボード。
【００１２】
（２）の構成によれば、当接部は、左当接部と、右当接部と、を有する。
左当接部は、紙片の上部の左端部に当接する。
右当接部は、紙片の上部の右端部に当接する。
そして、紙片押さえボードは、更に欠き込み部を備える。
欠き込み部は、左当接部と右当接部とに間に形成され、紙片の上部が前方側に現れるように欠き込まれた部分である。
【００１３】
これにより、左当接部により紙片の上部を押さえ、右当接部により紙片の上部の右端部を押さえることができ、紙片の上部が部分的（例えば、紙片の右端部や左端部）に前方側に倒れることを防止できる。
また、左当接部と右当接部との間に、紙片の上部が前方側に現れる欠き込み部を設けたので、この欠き込み部において、紙片を抜き取りたい者が紙片の上部を把持することができるので、紙片を抜き取り易くなる。
【考案の効果】
【００１４】
本考案によれば、スタンドにおいて、立てて後方側に傾けた状態で保持された紙片が、前方側に倒れてしまうのを防止する紙片押さえボードを提供できる。
【図面の簡単な説明】
【００１５】
【図１】本考案の実施形態に係る紙片押さえボードの概要を説明する図である。
【図２】本考案の実施形態に係る紙片押さえボードを前方から見た図である。
【図３】本実施形態に係る紙片押さえボードの変形例を示す図である。
【図４】本実施形態に係る紙片押さえボードの変形例を示す図である。
【考案を実施するための形態】
【００１６】
本考案の実施形態に係る紙片押さえボード１の構成を図面に基づいて説明する。
以下の実施形態の説明において、同一の構成には、同一の符号を付し、その説明を省略又は簡略化する。
図１は、本考案の実施形態に係る紙片押さえボードの概要を説明する図である。
図２は、本考案の実施形態に係る紙片押さえボードを前方から見た図である。
紙片押さえボード１は、紙片２００を立てて後方側に傾けた状態で保持するスタンド１００に用いられる。
図１に示すように、スタンド１００は、上方が開放し、紙片２００の高さより低い高さで形成された箱状体１１０と、箱状体１１０の後方部に設けられ、上部側が後方に傾いている背板１２０と、を備える。
複数の紙片２００は、例えば、チラシ、パンフレット、チケット、カタログ等であり、内容が表示された表面が前方を向くように重ねられた状態で箱状体１１０の内部に収容され、背板１２０に凭れさせられている。
なお、紙片押さえボード１は、図１に示すスタンド１００に限らず、複数の紙片２００を挿入可能であれば、任意の形状のスタンドに用いることができる。
【００１７】
紙片押さえボード１は、透明な素材（例えば、アクリル樹脂等）で形成され、スタンド１００に保持された紙片２００の前方側において、紙片２００に凭れた状態で配置される。
なお、紙片押さえボード１は、平置きされた紙片２００の上に載置することで、チラシ押さえとして使用もできる。このように、使用することで、平置きされた紙片２００の内容を視認可能な状態で、紙片２００が風等により飛散することを防止できる。
【００１８】
紙片押さえボード１は、当接部１０と、欠き込み部２０と、を備える。
当接部１０は、紙片２００の上部と当接し、左当接部１１と、右当接部１２と、を有する。
左当接部１１は、紙片２００の上部の左端部に当接する。
右当接部１２は、紙片２００の上部の右端部に当接する。
なお、本実施形態において、当接部１０は、紙片２００の上端に当接しているが、上端に限らず、スタンド１００に立て掛けた紙片２００の上下方向中心より高い位置（上部）に当接すればよい。
また、図紙片押さえボード１の幅は、紙片２００の幅と同一でもよいし、紙片２００の幅より大きくてもよいし、小さくてもよい。
【００１９】
欠き込み部２０は、左当接部１１と右当接部１２とに間に形成され、紙片２００の上部が前方側に現れるように欠き込まれた部分である。
欠き込み部２０は、図１及び図２に示す例では、例えば、下方に向かって膨出する円弧形状に形成されているが、これに限らず、紙片２００の上部が前方側に現れれば、四角形状等の任意の形状とすることができる。
【００２０】
なお、紙片押さえボード１は、文字や図柄形状の孔を形成してもよいし、透明であれば着色してもよいし、文字や図柄を印刷してもよい。
また、本実施形態において、紙片押さえボード１は、正面から見て、略四角形状に形成しているが、これに限らず、立てて後方側に傾けた状態で保持されている紙片２００の前方に配置したときに、紙片の上部と当接する形状であれば、任意の形状とすることができる。
【００２１】
例えば、図３及び図４は、本実施形態に係る紙片押さえボードの変形例を示す図である。
図３に示す例では、紙片押さえボード１Ａは、文字形状（図３に示す例では、Ｘ字形状）に形成され、Ｘ字の上部が当接部１０Ａ（左端部が左当接部１１Ａ、右端部が右当接部１２Ａ）を形成し、左当接部１１Ａと右当接部１２Ａとの間に、欠き込み部２０Ａが形成されている。
【００２２】
図４に示す例では、紙片押さえボード１Ｂは、キャラクタ形状（図４に示す例では、左右の手を上方に上げている人形状）に形成され、キャラクタ形状の上部（手形状の部分）が当接部１０Ｂ（左端部が左当接部１１Ｂ、右端部が右当接部１２Ｂ）を形成し、左当接部１１Ｂと右当接部１２Ｂとの間に、欠き込み部２０Ｂが形成されている。
【００２３】
紙片押さえボード１、１Ａ及び１Ｂによれば、スタンド１００において、立てて後方側に傾けた状態で保持されている紙片２００の前方に、この紙片２００に凭れた状態で配置することで、当接部１０、１０Ａ及び１０Ｂは、紙片２００の上部と当接するので、紙片２００が、例えば、風等により前方側に倒れることを防止できる。
したがって、スタンドにおいて、立てて後方側に傾けた状態で保持された紙片が、前方側に倒れてしまうのを防止する紙片押さえボードを提供できる。
【００２４】
また、紙片押さえボード１、１Ａ及び１Ｂによれば、左当接部１１、１１Ａ及び１１Ｂにより紙片の上部を押さえ、右当接部１２、１２Ａ及び１２Ｂにより紙片２００の上部の右端部を押さえることができ、紙片２００の上部が部分的（例えば、紙片２００の右端部や左端部）に前方側に倒れることを防止できる。
また、左当接部１１、１１Ａ及び１１Ｂと右当接部１２、１２Ａ及び１２Ｂとに間に、紙片２００の上部が前方側に現れる欠き込み部２０、２０Ａ及び２０Ｂを設けたので、この欠き込み部２０、２０Ａ及び２０Ｂにおいて、紙片２００を抜き取りたい者が紙片２００の上部を把持することができるので、紙片２００を抜き取り易くなる。
【００２５】
なお、本考案は前記実施形態に限定されるものではなく、本考案の目的を達成できる範囲での変形、改良等は本考案に含まれるものである。
【符号の説明】
【００２６】
１、１Ａ、１Ｂ          紙片押さえボード
１０、１０Ａ及び１０Ｂ  当接部
１１、１１Ａ及び１１Ｂ  左当接部
１２、１２Ａ及び１２Ｂ  右当接部
２０、２０Ａ及び２０Ｂ  欠き込み部
１００    スタンド
２００    紙片
【図１】
0003198921.tif 000003
【図２】
0003198921.tif 000004
【図３】
0003198921.tif 000005
【図４】
0003198921.tif 000006